(57)【要約】【課題】ＳＥＣＡＭ方式の信号及びＰＡＬ方式の信号の自動判別を行う。【解決手段】クランプ回路１２でペデスタルレベルを一定にするクランプ処理したコンポジット映像信号を、Ｙ／Ｃ分離回路１４で輝度信号Ｙとクロマ信号Ｃとに分離する。クロマ信号Ｃを色差信号ＤＲ／ＤＢに復調し、ＳＥＣＡＭ回路１７で入力信号の水平ブランキング期間に含まれている色副搬送波基準信号を検出し、色副搬送波基準信号の周波数が、１水平ライン毎交互に順次変化していった変化数の累積結果が基準閾値以上となったときに、ＳＥＣＡＭ方式のテレビジョン信号であると判別し、入力信号に対して垂直ブランキング期間のノイズ成分の積算値レベルに応じて基準閾値を変化させ、ＳＥＣＡＭ信号を判別する。【選択図】図１
2005057639.tif 000002
【特許請求の範囲】
【請求項１】
入力信号の水平ブランキング期間に含まれている色副搬送波基準信号を検出し、上記色副搬送波基準信号の周波数が第１の周波数と第２の周波数との間で１水平ライン毎交互に順次変化していった変化数を累積する変化数累積手段と、
上記変化数の累積結果が基準閾値以上となったときに、ＳＥＣＡＭ方式のテレビジョン信号であると判別する比較回路手段と、
上記入力されたテレビジョン信号に対してノイズ成分のみを抽出し、垂直ブランキング期間のノイズ成分を積算する積算手段と、
上記積算手段の積算値レベルに応じて上記基準閾値を変化させる閾値制御手段とを備えたことを特徴とするＳＥＣＡＭ信号判別装置。
【請求項２】
上記閾値制御手段は、上記積算値レベルが所定の値より少なかった場合には上記基準閾値を第１の値とし、上記積算値レベルが上記所定の値以上であった場合には上記基準閾値を第１の値よりも低い第２の値とすることを特徴とする請求項１記載のＳＥＣＡＭ信号判別装置。
【発明の詳細な説明】
【技術分野】
【０００１】
本発明は、入力された信号が、ＳＥＣＡＭ（ＳＥｑｕｅｎｔｉａｌ  Ｃｏｌｏｕｒ  Ａｎｄ  Ｍｅｍｏｒｙ）方式のテレビジョン信号であるかどうかを判別するＳＥＣＡＭ信号判別装置に関するものである。
【背景技術】
【０００２】
テレビジョン放送の放送方式には、大きく分けて、ＮＴＳＣ方式（日本、北米等）、ＰＡＬ方式（フランスを除く欧州等）、ＳＥＣＡＭ方式（フランス、旧東欧、ロシア等）の３つの方式がある。各方式毎に色差信号の変調方式や色副搬送波周波数が異なり、その互換性は少ない。そのため、一般に、複数の映像信号を取り扱うシステムでは、入力された映像信号がどの方式に対応した信号であるかを判別する機能が設けられ、その判断の後に必要な機能の切換が行われる。
【０００３】
ところで、ＮＴＣＳ方式やＰＡＬ方式では、色差信号の変調方式に直交変調方式を採用しているのに対して、ＳＥＣＡＭ方式では、色差信号の変調方式にＦＭ変調方式を採用している。さらに、ＳＥＣＡＭ方式では、２つの色差信号（ＤＲ信号，ＤＢ信号）を、それぞれ異なるキャリア周波数の色副搬送波にＦＭ変調し、それらを１水平ライン毎交互に伝送している。具体的には、ＤＲ信号を４４０６．２５ｋＨｚのキャリア周波数に変調し、ＤＢ信号を４２５０．００ｋＨｚのキャリア周波数に変調し、これらを１水平ライン毎交互に挿入している。そのため、一般に、入力された映像信号がＳＥＣＡＭ方式であるかどうかの判断は、色副搬送波の中心周波数を抽出し、その中心周波数が１水平走査ライン毎に交互に順次切り替わっていっているかどうかを識別することにより行われている。
【０００４】
このようなＳＥＣＡＭ方式の信号判別技術として特許文献１に、色副搬送波の中心周波数を抽出し、その中心周波数が１水平走査ライン毎に交互に順次切り替わっていっているかどうかを識別することによって、入力された信号がＳＥＣＡＭ信号であるかどうかを判断する技術が提案されている。図４は、特許文献１に開示されているＳＥＣＡＭ信号判別回路及びクロマ復調回路の要部ブロック構成図を示し、ＳＥＣＡＭ信号判別回路は、クロマ復調回路内のＦＭ復調出力を利用して処理が行われる。
【０００５】
まず、クロマ復調回路１００の回路説明をする。クロマ復調回路１００には、コンポジット映像信号から輝度信号が取り除かれた状態の搬送色信号が入力される。この搬送色信号は、色副搬送波に色差信号が変調されている状態の信号であり、以下、クロマ信号Ｃと呼ぶ。クロマ復調回路１００は、このクロマ信号Ｃから、２つの色差信号（ＤＲ／ＤＢ）を復調する回路である。クロマ復調回路１００は、ベルフィルタ１０１と、ＦＭ復調回路１０２と、ＤＲ／ＤＢ判別回路１０３と、線順次デコーダ１０４とから構成されている。ベルフィルタ１０１には、例えば輝度／クロマ分離回路によりコンポジット映像信号の分離処理がされたのちのクロマ信号Ｃが入力される。ベルフィルタ１０１は、送信側で与えられたベルフィルタ特性と逆の周波数特性とを、入力されたクロマ信号Ｃに与えて波形整形する。
【０００６】
ベルフィルタ１０１の出力信号の波形整形されたクロマ信号Ｃは、ＦＭ復調回路１０２に供給される。ＦＭ復調回路１０２は、色副搬送波にＦＭ変調されている色差信号（ＤＲ／ＤＢ）を、所定の基準信号の基本周波数を基にＦＭ復調する。このＦＭ復調回路１０２からは、ＦＭ復調回路に入力されたクロマ信号Ｃの瞬時周波数と、基本周波数との周波数差が、レベルに変換された信号が出力される。なお、ＳＥＣＡＭ方式の場合、ＤＲ信号とＤＢ信号とは、それぞれ異なる中心周波数の色副搬送波にＦＭ変調されている。その後、ＦＭ復調されたクロマＣ信号は、ＤＲ／ＤＢ判別回路１０３を通り、線順次デコーダ１０４に入力される。線順次デコーダ１０４から出力された色差信号（ＤＲ／ＤＢ）は、例えば後段の出力回路やＲＢＧマトリクス回路等に供給される。
【０００７】
次に、ＳＥＣＡＭ信号判別回路１１０について説明をする。ＳＥＣＡＭ信号判別回路１１０は、ＤＲ／ＤＢ判別回路１０３と、Ｄラッチ回路１１１、１１４と、ＥＸ−ＯＲ回路１１２と、加算器１１３と、比較回路（Ｃｏｍｐ）１１５とを備えている。
【０００８】
Ｄラッチ回路１１１は、ＤＲ／ＤＢ判別回路１０３の出力信号を、色副搬送波基準信号でラッチする。色副搬送波基準信号（ラインＩＤ信号）とは、そのラインＩＤ信号が埋め込まれた水平ラインのＦＭ変調の中心周波数を識別するための信号である。具体的には、ラインＩＤ信号は、何ら情報が変調されていない状態の色搬送波であり、ラインＩＤ信号は、その水平ラインにＤＲ信号が変調されているのであれば周波数が４４０６．２５ｋＨｚの無変調の信号となり、その水平ラインにＤＢ信号が変調されているのであれば周波数が４２５０．００ｋＨｚの無変調の信号となる。このラインＩＤ信号は、水平ブランキング期間内のバックポーチに含まれている。具体的にこのラインＩＤ信号は、ＳＥＣＡＭの規格上、水平同期信号（Ｈｓｙｎｃ）から５．６μｓ進んだ時間から、実際の色差信号の開始時間（水平同期信号（Ｈｓｙｎｃ）から１０．５μｓ進んだ時間）までの間に挿入されている。
【０００９】
一方、ＳＥＣＡＭ判別で使用する映像信号部分領域（ウインドウ信号）は図５（ｄ）に示すよう、バースト信号の後半とバックポーチ部分に掛かっている。これは水平同期信号（ＨＳｙｎｃ）に近い部分（つまりバースト信号の前半）はＦＭ復調回路１０２の復調誤差が大きく、ＳＥＣＡＭ判別に使用すると誤判別しやすくなり、判別する領域は後ろにずらしているためである。
【００１０】
また、ＤＲ／ＤＢ判別回路１０３は、クロマ復調回路１００内のＦＭ復調回路１０２から出力されるＦＭ復調出力に基づき、ＤＲ／ＤＢ識別信号Ｘを生成する。このＤＲ／ＤＢ識別信号Ｘは、その水平ラインにＤＲ信号が変調されているのか、ＤＢ信号が変調されているのかを識別するための信号である。まず、ＤＲ／ＤＢ判別回路１０３は、クロマ復調回路１００内のＦＭ復調回路１０２から出力されるＦＭ復調出力の内、ラインＩＤ信号のみを抽出する。ラインＩＤ信号の挿入位置は、図５（ｄ）に示したウインドウ信号に基づき判断を行う。ＤＲ／ＤＢ判別回路１０３は、その抽出したラインＩＤ信号の復調値が４４０６．２５ｋＨｚ（ＤＲ）に近いか、或いは４２５０．００ｋＨｚ（ＤＢ）に近いかを判断する。この判断は、例えば４４０６．２５ｋＨｚの復調値と４２５０．００ｋＨｚの復調値との中間値を閾値として、出力された復調値を２値化することにより行うことができる。そして、判断した結果に基づき、復調値が４４０６．２５ｋＨｚに近ければハイ（Ｈ）、４２５０．００ｋＨｚに近ければロー（Ｌ）となるＤＲ／ＤＢ識別信号Ｘを出力する。このＤＲ／ＤＢ識別信号Ｘは、当該ラインＩＤ信号が含まれている水平ラインの期間の間、その値が保持され続ける。つまり、ハイ（Ｈ）とロー（Ｌ）の切換は、水平同期信号（Ｈｓｙｎｃ）のタイミングで行われる。
【００１１】
ＤＲ／ＤＢ判別回路１０３から出力されるＤＲ／ＤＢ識別信号Ｘは、Ｄラッチ回路１１１により、１水平ライン後のＤＲ／ＤＢ識別信号Ｘ’と共に、ＥＸ−ＯＲ回路１１２に供給される。ＥＸ−ＯＲ回路１１２は、ＤＲ／ＤＢ識別信号Ｘと１水平ライン後のＤＲ／ＤＢ識別信号Ｘ’とのｅｘ−ｏｒ演算を行う。すなわち、ＥＸ−ＯＲ回路１１２は、ＤＲ／ＤＢ識別信号Ｘと１水平ライン後のＤＲ／ＤＢ識別信号Ｘ’が一致していなければハイ（Ｈ）という出力を行う。ＥＸ−ＯＲ回路１１２の出力信号は、加算器１１３に供給される。加算器１１３は１水平ライン毎に１フレーム加算され、加算器１１３の加算値は比較回路１１５に供給される。
【００１２】
比較回路１１５は、加算器１１３の値と基準閾値Ｔｈとを比較する。比較した結果、加算器１１３の値が、基準閾値Ｔｈよりも大きい場合には出力をハイ（Ｈ）とする。この比較回路１１５からの出力信号が、ＳＥＣＡＭ信号の判別フラグとなる。
【００１３】
このような構成の従来のＳＥＣＡＭ信号判別回路１１０に対して、ＳＥＣＡＭ信号が入力されると、各回路は以下のように動作する。ＳＥＣＡＭ信号が入力されると、ＤＲ／ＤＢ判別回路１０３は、ハイ（Ｈ）とロー（Ｌ）を１水平ライン毎に交互に繰り返すＤＲ／ＤＢ識別信号Ｘを出力する。
【００１４】
このようなＤＲ／ＤＢ識別信号ＸがＥＸ−ＯＲ回路１１２に入力されると、このＥＸ−ＯＲ回路１１２からは、ハイ（Ｈ）出力が連続した信号が出力され続けることとなる。つまり、ＤＲ／ＤＢ識別信号Ｘと１Ｈ後のＤＲ／ＤＢ識別信号Ｘ’とがともに、ハイ（Ｈ）とロー（Ｌ）を１水平ライン毎に交互に繰り返す信号であるため、両者の値が常に一致していないからである。
【００１５】
そのため、加算器１１３の加算値はプラス側にインクリメントされ続けることとなる。つまり、ＳＥＣＡＭ信号が入力された場合には、１水平ライン毎に１フレーム加算された加算器１１３の値が増加していき、所定時間後には、この加算器１１３の出力値が基準閾値Ｔｈを越えることとなる。１フレーム内にラインＩＤ信号は約５７５ラインあるため、ＳＥＣＡＭ標準信号であれば加算値は５７５になる。
【００１６】
一方、ＳＥＣＡＭ信号以外の信号が入力されると、ＤＲ／ＤＢ判別回路１０３は、ハイ（Ｈ）とロー（Ｌ）とを交互に繰り返さず、ハイ（Ｈ）とロー（Ｌ）のいずれか一方の出力に偏ったＤＲ／ＤＢ識別信号Ｘを出力する。例えばＰＡＬ信号が入力されれば、そのカラーバースト信号の周波数が４４３０ｋＨｚであるため、常にハイ（Ｈ）となるＤＲ／ＤＢ識別信号Ｘを出力する。このようなＤＲ／ＤＢ識別信号ＸがＥＸ−ＯＲ回路１１２に入力されると、このＥＸ−ＯＲ回路１１２からはロー（Ｌ）信号が出力されることとなる。
【００１７】
そのため、加算器１１３は、プラス側にインクリメントされ続けることなく、加算値の増減がある一定の範囲内で収まってしまう。つまり、ＳＥＣＡＭ信号以外の信号が入力されると、加算器１１３の加算値はある一定範囲以上増加せず、この増加範囲を考慮した基準閾値Ｔｈを設定しておけば、所定時間経過してもこの出力値は基準閾値Ｔｈを越えることはない。なお、ＰＡＬ標準信号であれば、加算値は０になる
従って、以上のように特許文献１に記載のＳＥＣＡＭ信号判別回路１１０では、加算器１１３の加算値を一定時間の間モニタして、この加算値が基準閾値Ｔｈを越えたか否かを判断することにより、入力された信号がＳＥＣＡＭ信号であるか否かを判断することができる。
【特許文献１】特開２００３−１８６０８号公報（段落番号００６１〜同０１２３及び図２、図３）
【発明の開示】
【発明が解決しようとする課題】
【００１８】
ところで、ＰＡＬ信号の色副搬送波のキャリア周波数は４４３０ｋＨｚであり、ＳＥＣＡＭ信号のキャリア周波数と非常に近い関係にある。そのため、ＳＥＣＡＭ信号判別回路では、例えば弱電界時などの低Ｃ／Ｎ環境となったときに、ＰＡＬ信号であるにも拘わらずＳＥＣＡＭ信号であると判別してしまう場合があった。
【００１９】
この改善策として、カラーバースト信号の挿入期間の信号レベルに対する無信号期間の信号レベルの割合を判断し、その割合が所定の値以下であれば入力信号はＰＡＬ信号である可能性が高いと判別する構成とし、ＳＥＣＡＭ信号であると判断するための判断基準の閾値を高く設定する方法が特許文献１で提案されている。
【００２０】
しかしながら、弱電界時においてはノイズ信号成分によりＳＥＣＡＭ信号をＰＡＬ信号であると判別してしまう場合もあり、また通常電界時のおいてもＳＥＣＡＭ信号をＰＡＬ信号に変換した放送波（図５（ｂ）に示すような残留ＳＥＣＡＭクロマ成分のあるＰＡＬ信号）も存在し、高精度にＳＥＣＡＭ信号の判別を行うことが困難である。
【００２１】
本発明は、弱電界時の低Ｃ／Ｎ環境下においてもＳＥＣＡＭ信号をＰＡＬ信号であると誤判別せず、また通常電界時のおいても残留ＳＥＣＡＭクロマ成分のあるＰＡＬ信号をＳＥＣＡＭ信号であると誤判別せずに、高精度にＳＥＣＡＭ信号の判別を行うことができるＳＥＣＡＭ信号判別装置を提供することを目的とする。
【課題を解決するための手段】
【００２２】
本発明は、弱電界時の低Ｃ／Ｎ環境下においてもＳＥＣＡＭ信号をＰＡＬ信号であると誤判別せず、また通常電界時のおいても、残留ＳＥＣＡＭクロマ成分のあるＰＡＬ信号をＳＥＣＡＭ信号であると誤判別せずに、高精度にＳＥＣＡＭ信号の判別を行うため、入力されたテレビジョン信号に対してノイズ成分の積算値レベルに応じて基準閾値を変化させることを最も主要な特徴とする。
【発明の効果】
【００２３】
本発明のＳＥＣＡＭ信号判別装置では、色副搬送波基準信号を検出し、その中心周波数が１水平走査ライン毎に交互に順次切り替わっていった変化数を累積し、この変化数の累積結果が基準閾値以上となったときに、ＳＥＣＡＭ方式のテレビジョン信号であると判断する。さらに、このＳＥＣＡＭ信号判別装置では、入力されたテレビジョン信号に対してノイズ成分を抽出し、垂直ブランキング期間のノイズ成分の積算値レベルに応じて上記基準閾値を変化させているので、弱電界時、低Ｃ／Ｎ環境下においてもＳＥＣＡＭ信号をＰＡＬ信号であると誤判別せず、高精度にＳＥＣＡＭ信号の判別を行うことができる。
【００２４】
また、本発明にかかるＳＥＣＡＭ信号判別装置では、色副搬送波基準信号を検出し、その中心周波数が１水平走査ライン毎に交互に順次切り替わっていった変化数を累積し、この変化数の累積結果が基準閾値以上となったときに、ＳＥＣＡＭ方式のテレビジョン信号であると判断する。
【００２５】
さらに、このＳＥＣＡＭ信号判別装置では、入力されたテレビジョン信号に対してノイズ成分を抽出し、垂直ブランキング期間のノイズ成分の積算値レベルに応じて上記基準閾値を変化させる。上記積算値レベルが所定の値以上であった場合（すなわち、通常電界時（強電界時））と、上記積算値レベルが所定の値より少なかった場合（すなわち、弱電界時）とで、上記基準閾値をそれぞれ設定することにより、弱電界時、低Ｃ／Ｎ環境下においてもＳＥＣＡＭ信号をＰＡＬ信号であると誤判別せず、また通常電界時のおいても、残留ＳＥＣＡＭクロマ成分のあるＰＡＬ信号をＳＥＣＡＭ信号であると誤判別せずに、高精度にＳＥＣＡＭ信号の判別を行うことができる。
【発明を実施するための最良の形態】
【００２６】
以下、本発明の一実施形態のＳＥＣＡＭ方式のクロマデコーダについて、ＳＥＣＡＭ方式のコンポジット映像信号（ＣＶＢＳ）を、輝度信号及び色差信号に分離して出力する装置を例に挙げ説明をする。
【００２７】
（実施の形態１）
図１に本実施形態のクロマデコーダ１のブロック図を示す。クロマデコーダ１は、アナログ／デジタルコンバータ（Ａ／Ｄコンバータ）１１と、クランプ回路１２と、同期検出回路（ＳＹＮＣ回路）１３と、輝度／クロマ分離回路（Ｙ／Ｃ分離回路）１４と、クロマ復調回路１５と、出力処理回路１６と、ＳＥＣＡＭ信号判別回路１７と、システムコントローラ１８とを備えている。
【００２８】
Ａ／Ｄコンバータ１１には、外部から供給されたアナログのコンポジット映像信号（ＣＶＢＳ）が入力される。入力されたコンポジット映像信号は、Ａ／Ｄコンバータ１１で所定のシステムクロックでサンプリングして、デジタルデータに変換しクランプ回路１２に出力する。
【００２９】
クランプ回路１２は、入力されたコンポジット映像信号のペデスタルレベルが一定となるように、クランプ処理を行う。クランプ回路１２の出力信号の一方は、ＳＹＮＣ回路１３に入力される。ＳＹＮＣ回路１３は、入力されたコンポジット映像信号から同期信号を抽出して、垂直同期信号Ｖｓｙｎｃ及び水平同期信号Ｈｓｙｎｃを検出する。各同期信号はシステムコントローラ１８に供給される。
【００３０】
以上のように、クランプ処理がされたクランプ回路１２の出力信号の他方は、システムクロックでサンプリングされデジタルのコンポジット映像信号となり、Ｙ／Ｃ分離回路１４に供給される。Ｙ／Ｃ分離回路１４は、デジタルのコンポジット映像信号を、輝度信号Ｙと搬送色信号（色搬送波に変調された状態の色差信号、以下クロマ信号Ｃと呼ぶ）とに分離する。Ｙ／Ｃ分離回路１４で分離された輝度信号Ｙは出力処理回路１６に供給され、Ｙ／Ｃ分離回路１４で分離されたクロマ信号Ｃはクロマ復調回路１５に供給される。クロマ復調回路１５は、クロマ信号Ｃから色差信号（ＤＲ／ＤＢ）を復調する。復調された色差信号（ＤＲ／ＤＢ）は、出力処理回路１６に供給される。なお、出力処理回路１６は、視覚補正処理、ＯＳＤ合成、サンプリングレート変換処理等の各種処理を行い、所定のサンプリングレートでクロマデコードした画像データを出力する。また、クロマ復調回路１５は、ＳＥＣＡＭ判別回路１７にも信号を出力し、このＳＥＣＡＭ信号判別回路１７で、入力されたコンポジット映像信号が、ＳＥＣＡＭ信号であるか否かを判別する。システムコントローラ１８は、本装置の各回路の制御を行う。
【００３１】
次に、ＳＥＣＡＭ信号判別回路１７について図２を参照して説明をする。なお、図２には、クロマ復調回路１５、ＳＥＣＡＭ信号判別回路１７及び弱電界検出回路３６の要部構成ブロック図を示している。ＳＥＣＡＭ信号判別回路１７は、クロマ復調回路１５内のベルフィルタ出力及びＦＭ復調出力を利用して処理が行われる。
【００３２】
まず、クロマ復調回路１５の回路説明をする。クロマ復調回路１５は、ベルフィルタ２１と、ＦＭ復調回路２２と、ＤＲ／ＤＢ判別回路２３と、線順次デコーダ２４とから構成されている。
【００３３】
ベルフィルタ２１には、例えばＹ／Ｃ分離回路１５によりコンポジット映像信号（ＣＶＢＳ）の分離処理がされたクロマ信号Ｃが入力される。ベルフィルタ２１は、送信側で与えられたベルフィルタ特性と逆の周波数特性とを、入力されたクロマ信号Ｃに与えて波形整形する。
【００３４】
ベルフィルタ２１により波形整形されたクロマ信号Ｃは、ＦＭ復調回路２２に供給される。ＦＭ復調回路２２は、色副搬送波にＦＭ変調されている色差信号（ＤＲ／ＤＢ）を、所定の基準信号の基本周波数を基にＦＭ復調する。このＦＭ復調回路２２からは、ＦＭ復調回路２２に入力されたクロマ信号Ｃの瞬時周波数と基本周波数との周波数差が、レベルに変換された信号が出力される。なお、ＳＥＣＡＭ方式の場合、ＤＲ信号とＤＢ信号とは、それぞれ異なる中心周波数の色副搬送波にＦＭ変調されている。その後、ＦＭ復調されたクロマＣ信号は、ＤＲ／ＤＢ判別回路２３を通り、線順次デコーダ２４から出力された色差信号（ＤＲ／ＤＢ）は、後段の出力回路１６に供給される。
【００３５】
次に、ＳＥＣＡＭ信号判別回路１７と弱電界検出回路３６とについて説明をする。ＳＥＣＡＭ信号判別回路１７は、ＤＲ／ＤＢ判別回路２３と、Ｄラッチ回路３１、３４と、ＥＸ−ＯＲ回路３２と、加算器３３と、比較回路（Ｃｏｍｐ）３５とを備え、弱電界検出回路３６は、Ａ／Ｄコンバータ１１と、ＨＰＦ３７と、ノイズ検出回路３８と、システムコントローラ１８と、切換スイッチ３９とを備えている。
【００３６】
弱電界検出回路３６は、入力されたアナログのコンポジット信号（ＣＶＢＳ）を、Ａ／Ｄコンバータ１１にてデジタルデータに変換する。その後、ＨＰＦ３７を通過した信号をノイズ成分と判断し、ノイズ検出回路３８にてノイズ積算値をシステムコントローラ１８に送る。図３は、ノイズ検出回路３８の積算タイミングの一例を示す図であり、入力されたコンポジット信号の垂直ブランキング期間内１Ｈ〜６Ｈのノイズレベルを、ゲートパルスにより積算している。
【００３７】
システムコントローラ１８は、ノイズ積算値結果にてノイズ積算値が大きい場合は弱電界信号であると判断し、ノイズ積算値が小さい場合は強電界（通常）信号であると判断する。その後、システムコントローラ１８は、強電界（通常）信号であると判断した場合は第１の基準閾値Ｔｈ１、弱電界信号であると判断した場合は第２の基準閾値Ｔｈ２を選択するように、切換スイッチ３９を制御する。ここで、第１の基準閾値Ｔｈ１及び第２の基準閾値Ｔｈ２は、Ｔｈ１＞Ｔｈ２の関係となっている。
【００３８】
ＰＡＬ信号は図５（ａ）に示すように、水平同期信号（Ｈｓｙｎｃ）の後のバックポーチの部分に、カラーバースト信号が挿入されている。このカラーバースト信号は、水平同期信号（Ｈｓｙｎｃ）の開始エッジから５．６μｓ（±０．１μｓ）後から挿入される。このカラーバースト信号の挿入区間は、２．２６μｓ（±０．２２６μｓ）である。ＰＡＬ信号は、さらにこのカラーバースト信号の後に、なんら信号が含まれない無信号区間が存在する。
【００３９】
ＳＥＣＡＭ信号は図５（ｃ）に示すように、水平同期信号（Ｈｓｙｎｃ）の後のバックポーチの部分に、ラインＩＤ信号が挿入されている。このラインＩＤ信号は、水平同期信号（Ｈｓｙｎｃ）の開始エッジから５．６μｓ（±０．２μｓ）後から開始し、映像信号が挿入される手前で終了している。すなわち、ＳＥＣＡＭ信号のバックポーチには、ラインＩＤ信号が挿入された後には無信号部分が存在しない。
【００４０】
ここで、図５（ａ）及び図５（ｃ）に示すように、ＰＡＬ信号及びＳＥＣＡＭ信号に関わらず、バックポーチ部分においてカラーバースト信号が挿入される区間をバースト信号区間と呼び、カラーバースト信号の後の無信号の区間を無信号区間と呼び、ラインＩＤ信号が挿入される区間をラインＩＤ区間と呼ぶものとする。なお、図５（ｂ）は、ＳＥＣＡＭ信号をＰＡＬ信号に変換した残留ＳＥＣＡＭクロマ成分のあるＰＡＬ信号である。
【００４１】
図５（ｄ）にウインドウ信号を示す。ウインドウ信号は、ラインＩＤ信号の復調値を取り込む範囲を特定するための信号である。ウインドウ信号は、それぞれラインＩＤ信号が検出されるラインＩＤ区間内に設定されている。ウインドウ信号は、ラインＩＤ信号の挿入位置のずれの影響を受けない位置で十分余裕をもって、例えばラインＩＤ信号の中間位置を中心に検出範囲が設定されている。
【００４２】
また、ＤＲ／ＤＢ判別回路２３は、クロマ復調回路１５内のＦＭ復調回路２２から出力されるＦＭ復調出力に基づき、ＤＲ／ＤＢ識別信号Ｘを生成する。このＤＲ／ＤＢ識別信号Ｘは、その水平ラインにＤＲ信号が変調されているのか、ＤＢ信号が変調されているのかを識別するための信号である。ＤＲ／ＤＢ判別回路２３は、クロマ復調回路１５内のＦＭ復調回路２２から出力されるＦＭ復調出力の内、ウインドウ信号で指定された範囲の復調値のみを抽出する。ＤＲ／ＤＢ判別回路２３は、その抽出した復調値が４４０６．２５ｋＨｚ（ＤＲ）に近いか、或いは４２５０．００ｋＨｚ（ＤＢ）に近いかを判断する。この判断は、例えば４４０６．２５ｋＨｚの復調値と４２５０．００ｋＨｚの復調値との中間値を閾値として、出力された復調値を２値化することにより行うことができる。このようにして判断した結果に基づき、復調値が４４０６．２５ｋＨｚに近ければハイ（Ｈ）、４２５０．００ｋＨｚに近ければロー（Ｌ）となるＤＲ／ＤＢ識別信号Ｘを出力する。このＤＲ／ＤＢ識別信号Ｘは、当該ラインＩＤ信号が含まれている水平ラインの期間の間その値が保持され続ける。つまり、ハイ（Ｈ）とロー（Ｌ）の切換は、水平同期信号（Ｈｓｙｎｃ）のタイミングで行われる。
【００４３】
ＤＲ／ＤＢ判別回路２３から出力されるＤＲ／ＤＢ識別信号Ｘは、ＳＥＣＡＭ信号判別回路１７のＤラッチ回路３１により、１水平ライン後のＤＲ／ＤＢ識別信号Ｘ’と共に、ＥＸ−ＯＲ回路３２に供給される。ＥＸ−ＯＲ回路３２は、ＤＲ／ＤＢ識別信号Ｘと１水平ライン後のＤＲ／ＤＢ識別信号Ｘ’のｅｘ−ｏｒ演算を行う。すなわち、ＥＸ−ＯＲ回路３２は、ＤＲ／ＤＢ識別信号Ｘと１水平ライン後のＤＲ／ＤＢ識別信号Ｘ’が一致していればハイ（Ｈ）という出力を行う。ＥＸ−ＯＲ回路３２の出力信号は、加算器３３に供給される。加算器３３は１水平ライン毎に１フレーム加算され、加算器３３の加算値は比較回路３５に供給される。
【００４４】
比較回路３５は、加算器３３の値と、第１の基準閾値Ｔｈ１または第２の基準閾値Ｔｈ２とを比較する。比較した結果、加算器３３の値が基準閾値よりも大きい場合には出力をハイ（Ｈ）とする。この比較回路３５からの出力信号が、ＳＥＣＡＭ信号の判別フラグとなる。ここで、前述したように第１の基準閾値Ｔｈ１及び第２の基準閾値Ｔｈ２は、Ｔｈ１＞Ｔｈ２の関係となっている。この切換スイッチ３９は、弱電界検出回路３６の結果から、強電界時（通常時）の場合には基準閾値Ｔｈ１を選択し、弱電界時の場合には基準閾値Ｔｈ２を選択する。すなわち、入力信号が強電界（通常）時の場合にはＳＥＣＡＭであると判断する際の基準を高く設定する。反対に、入力信号が弱電界時の場合にはＳＥＣＡＭであると判断する基準を低く設定する。
【００４５】
このような構成のＳＥＣＡＭ信号判別回路１７に対して、ＳＥＣＡＭ信号が入力されると、各回路は以下のように動作する。ＳＥＣＡＭ信号が入力されると、ＤＲ／ＤＢ判別回路２３はハイ（Ｈ）とロー（Ｌ）を１水平ライン毎に交互に繰り返すＤＲ／ＤＢ識別信号Ｘを出力する。このようなＤＲ／ＤＢ識別信号ＸがＥＸ−ＯＲ回路３２に入力されると、このＥＸ−ＯＲ回路３２からはハイ（Ｈ）出力が連続した信号が出力され続けることとなる。つまり、ＤＲ／ＤＢ識別信号Ｘと１Ｈ後のＤＲ／ＤＢ識別信号Ｘ’とが、ともにハイ（Ｈ）とロー（Ｌ）を１水平ライン毎に交互に繰り返す信号であるので、両者の値が常に一致していないことになる。そのため、加算器３３の加算値は、プラス側にインクリメントされ続けることとなる。つまり、ＳＥＣＡＭ信号が入力された場合には、１水平ライン毎に１フレーム加算された加算器３３の値が増加していき、所定時間後にはこの加算器３３の出力値が基準閾値を越えることとなる。
【００４６】
１フレーム内にラインＩＤ信号は約５７５ラインあるため、ＳＥＣＡＭ標準信号であれば加算値は５７５になる。一方、ＳＥＣＡＭ信号以外の信号が入力されると、ＤＲ／ＤＢ判別回路２３はハイ（Ｈ）とロー（Ｌ）とを交互に繰り返さず、ハイ（Ｈ）とロー（Ｌ）のいずれか一方の出力に偏ったＤＲ／ＤＢ識別信号Ｘが出力される。例えばＰＡＬ信号が入力されれば、そのカラーバースト信号の周波数が４４３０ｋＨｚであるため、常にハイ（Ｈ）となるＤＲ／ＤＢ識別信号Ｘが出力される。このようなＤＲ／ＤＢ識別信号ＸがＥＸ−ＯＲ回路３２に入力されると、このＥＸ−ＯＲ回路３２からはロー（Ｌ）信号が出力されることとなる。そのため、加算器３３は、プラス側にインクリメントされ続けることなく、加算値の増減がある一定の範囲内で収まってしまう。つまり、ＳＥＣＡＭ信号以外の信号が入力されると、加算器３３の加算値はある一定範囲以上増加せず、この増加範囲を考慮した基準閾値を設定しておけば、所定時間経過してもこの出力値は基準閾値を越えることはない。なお、ＰＡＬ標準信号であれば加算値は０になる
従って、以上のようにＳＥＣＡＭ信号判別回路１７では、加算器３３の加算値を一定時間の間モニタして、この加算値が基準閾値を越えたか否かを判断することにより、入力された信号がＳＥＣＡＭ信号であるか否かを判断することができる。
【００４７】
図６は、各信号における電界強度によるＳＥＣＡＭ信号判別加算値の関係の一例を示す図である。標準ＰＡＬ信号の場合、同図の（ａ）ＰＡＬ信号のように、強電界時ではＳＥＣＡＭ信号判別加算値が０であるが、弱電界になるにつれてＳＥＣＡＭ信号判別加算値はＴｈ２付近（約３３０）に収束する。反対に標準ＳＥＣＡＭ信号の場合、同図の（ｃ）ＳＥＣＡＭ信号のように、強電界時ではＳＥＣＡＭ信号判別加算値が５７５であるが、弱電界になるにつれてＳＥＣＡＭ信号判別加算値はＴｈ２付近（約３３０）に収束する。残留ＳＥＣＡＭクロマ成分のあるＰＡＬ信号の場合は、同図の（ｂ）のように、強電界時ではＳＥＣＡＭ信号判別加算値が約４５０であるが、弱電界になるにつれてＳＥＣＡＭ信号判別加算値はＴｈ２付近（約３３０）に収束する。
【００４８】
今仮に基準閾値をＴｈ１（例えば５００）に設定すると、（ｃ）ＳＥＣＡＭ信号のように、電界強度４５ｄＢμ以下の弱電界信号においてＰＡＬと誤判別する。また基準閾値をＴｈ２（たとえば３３０）に設定すると、（ｂ）残留ＳＥＣＡＭクロマ成分のあるＰＡＬ信号のように、電界強度５０ｄＢμ以上の強電界信号においてＳＥＣＡＭと誤判別する。
【００４９】
そこで、弱電界検出回路３６の結果から、強電界時（通常時）の場合には基準閾値Ｔｈ１を選択し、弱電界時の場合には基準閾値Ｔｈ２を選択する。すなわち、入力信号が強電界（通常）時の場合にはＳＥＣＡＭであると判断する際の基準を高く設定する。反対に、入力信号が弱電界時の場合にはＳＥＣＡＭであると判断する基準を低く設定することにより、電界強度に依存せずに、（ｃ）ＳＥＣＡＭ信号、（ｂ）残留ＳＥＣＡＭクロマ成分のあるＰＡＬ信号、及び（ａ）ＰＡＬ信号のいかなる信号をも誤判別することがなくなる。
【００５０】
以上の動作を基本とし、さらにこのＳＥＣＡＭ信号判別回路１７では、入力されたテレビジョン信号に対してノイズ成分の積算値レベルを検出し、「入力信号の電界強度が通常レベルである」か、「入力信号の電界強度が弱電界レベルである」かを判断する。そして「入力信号の電界強度が通常レベルである」と判断した場合には、ＳＥＣＡＭ信号であると判断するための判断基準の閾値を高く設定する（第１の基準閾値Ｔｈ１に設定）。一方「入力信号の電界強度が弱電界レベルである」と判断した場合には、ＳＥＣＡＭ信号であると判断するための判断基準の閾値を低く設定する（第２の基準閾値Ｔｈ２に設定）。このようにＳＥＣＡＭ信号判別回路１７では、通常時の場合には基準閾値を高く設定することにより、例えば残留ＳＥＣＡＭクロマ成分のあるＰＡＬ信号であっても、誤ってＳＥＣＡＭ信号であると誤判別することがなくなる。また、さらにこのＳＥＣＡＭ信号判別回路１７では、弱電界時の場合には基準閾値を低く設定することにより、例えばノイズ信号成分のあるＳＥＣＡＭ信号であっても、誤ってＰＡＬ信号であると誤判断することがなくなり、高精度な判断を行うことができる。
【００５１】
なお、本実施形態のＳＥＣＡＭ判別回路１７では、入力されたテレビジョン信号に対してノイズ成分の積算値レベルを検出し、「入力信号の電界強度が通常レベルである」か、「入力信号の電界強度が弱電界レベルである」かを判断しているが、さらに「入力信号の電界強度が強電界レベルである」か、「入力信号の電界強度が中電界レベルである」 か、「入力信号の電界強度が弱電界レベルである」かを判断することにより、より高精度な判別が可能となる。
【産業上の利用可能性】
【００５２】
本発明にかかるＳＥＣＡＭ信号判別装置は、入力された信号が、ＳＥＣＡＭ方式のテレビジョン信号であるか否かを判別することにより、ＮＴＳＣ／ＳＥＣＡＭ入力信号の自動判別、及びＰＡＬ／ＳＥＣＡＭ入力信号の自動判別の用途にも適用でき、特にＰＡＬ方式とＳＥＣＡＭ方式とが混在する欧州において有効である。
【図面の簡単な説明】
【００５３】
【図１】本発明の一実施形態に於けるクロマデコーダのブロック構成図
【図２】同実施形態のクロマデコーダの要部を示すブロック構成図
【図３】同実施形態のノイズ検出回路の積算タイミング図
【図４】従来のＳＥＣＡＭ判別回路のブロック構成図
【図５】水平部ランキング期間の信号波形の一例を示し、（ａ）はＰＡＬ信号の信号波形図、（ｂ）は残留ＳＥＣＡＭクロマ成分のあるＰＡＬ信号の信号波形図、（ｃ）はＳＥＣＡＭ信号の信号波形図、（ｄ）ウインドウ信号を示す図
【図６】ＳＥＣＡＭ信号判別加算値の電界強度相関図
【符号の説明】
【００５４】
１  クロマデコーダ
１１  アナログ／デジタルコンバータ
１３  同期検出回路
１４  Ｙ／Ｃ分離回路
１５  クロマ復調回路
１６  出力処理回路、
１７  ＳＥＣＡＭ判別回路
１８  システムコントローラ
【図１】
2005057639.tif 000003
【図２】
2005057639.tif 000004
【図３】
2005057639.tif 000005
【図４】
2005057639.tif 000006
【図５】
2005057639.tif 000007
【図６】
2005057639.tif 000008